(57)【要約】【課題】パチンコ遊技機が遊技場に設置された後であっても、複数のデータロムが正常に作動するかどうかが簡単に分かり、営業開始前にパチンコ遊技機の良否を簡単に確認することができ、遊技中にトラブルが生じるのを防ぐことができるようにする。【解決手段】遊技制御基板１と、複数のデータロムＲＯＭ１〜ＲＯＭ８に図柄データが記憶され前記遊技制御基板からの指令に基づいて電子ディスプレイ５に図柄を変動表示させる図柄制御基板２を備えたパチンコ遊技機において、前記各データロムに夫々検査用図柄データを予め記憶させておくとともに、電源が投入されたときに作動する検査プログラムを備え、該検査プログラムにより発信されるチェックコマンドに応じて該各検査用図柄データが読み出されるとともに、読み出された検査用図柄データを各データロム毎に演算しその演算結果を各データロム毎に予め記憶された適正値と比較し、その異同を各データロム毎に電子ディスプレイに表示する。【選択図】図１
2006014864.tif 000002
【特許請求の範囲】
【請求項１】
遊技制御基板と、複数のデータロムに図柄データが記憶され前記遊技制御基板からの指令に基づいて電子ディスプレイに図柄を変動表示させる図柄制御基板を備えたパチンコ遊技機において、前記各データロムに夫々検査用図柄データを予め記憶させておくとともに、電源が投入されたときに作動する検査プログラムを備え、該検査プログラムにより発信されるチェックコマンドに応じて該各検査用図柄データが読み出され前記電子ディスプレイにその検査用図柄が表示されるようにしたことを特徴とするデータロム検査装置を備えたパチンコ遊技機。
【請求項２】
検査用図柄データは複数のデータロム毎に予め定められた特定の検査用図柄を表示するものであり、検査プログラムによって該各データロムの検査用図柄が電子ディスプレイに順に表示されるようにしたことを特徴とする請求項１に記載したデータロム検査装置を備えたパチンコ遊技機。
【請求項３】
遊技制御基板と、複数のデータロムに図柄データが記憶され前記遊技制御基板からの指令に基づいて電子ディスプレイに図柄を変動表示させる図柄制御基板を備えたパチンコ遊技機において、前記各データロムに夫々検査用図柄データを予め記憶させておくとともに、電源が投入されたときに作動する検査プログラムを備え、該検査プログラムにより発信されるチェックコマンドに応じて該各検査用図柄データが読み出されるとともに、読み出された検査用図柄データを各データロム毎に演算しその演算結果が前記電子ディスプレイに表示されるようにしたことを特徴とするデータロム検査装置を備えたパチンコ遊技機。
【請求項４】
演算結果を各データロム毎に予め記憶された適正値と比較し、その異同を各データロム毎に電子ディスプレイに表示することを特徴とした請求項３に記載したデータロム検査装置を備えたパチンコ遊技機。
【発明の詳細な説明】
【技術分野】
【０００１】
本発明は、図柄を変動表示する液晶表示装置等の電子ディスプレイを備えたパチンコ遊技機であって、図柄データを記憶したデータロムが正常に作動し得るかどうかを簡単に検査できるようにするデータロム検査装置を具備したものに関するものである。
【背景技術】
【０００２】
遊技盤に液晶表示装置等の電子ディスプレイおよび可変入賞装置，入賞口等が設けられ、打球が所定の入賞口に入賞することにより電子ディスプレイに多数の図柄が変動表示され、特定の図柄にて変動が停止すると大当りとなって可変入賞装置が開放され多数の打球が入賞し易くなるように構成されたパチンコ遊技機は周知のとおりである。
ところで、この種の今日のパチンコ遊技機では、上記電子ディスプレイに大当りとなるか否かの直前のきわどい状態、いわゆるリーチ状態演出を益々多彩なものとすること遊技性を競っている状況にある。このためその表示のために必要な図柄データの容量が非常に大きなものとなり、その記憶のために図柄制御基板に大容量のデータロムが複数取り付けられている。ところが、このように複数のデータロムが取り付けられていると、これらの図柄データの中にはめったに出現しない画像があるために、パチンコ遊技機を工場から出荷する際に従来から通常行われている製品検査によっては、全てのデータロムについて検査しきれず、このため、一部のデータロムが正しく接続されておらず接触不良や破損していても、製品が出荷されてしまうおそれがあった。
【０００３】
なお、下記特許文献１に示された表示ユニットの動作試験方法によれば、上記データロムの適否を工場出荷時に検査できるものであったが、パチンコ遊技機は、出荷時に不良でなくても、遊技場に設置され稼働した状態で、データロムの導線接触不良等が起きることもあり、そのような場合、めったに出ない画像が記憶されたデータロムに不良原因があると、故障の有無が容易に判別できないことから、遊技者との間にトラブルを招くという問題があった。
【特許文献１】特開平１１−６５８８９号公報
【０００４】
また、電源投入時に電子ディスプレイにデモ表示（客待ち用のデモンストレーション表示）がされるようにしたパチンコ遊技機も従来から知られているが、このデモ表示を見ただけでは上記のような複数のデータロムの全てが正常に作動するかどうかは判別できないものであった。
【発明の開示】
【発明が解決しようとする課題】
【０００５】
そこで本発明は、遊技場に設置された後でもデータロムの状況を簡単に検査できるパチンコ遊技機を提供しようとするものである。
【課題を解決するための手段】
【０００６】
そのために請求項１に記載の発明は、遊技制御基板と、複数のデータロムに図柄データが記憶され前記遊技制御基板からの指令に基づいて電子ディスプレイに図柄を変動表示させる図柄制御基板を備えたパチンコ遊技機において、前記各データロムに夫々検査用図柄データを予め記憶させておくとともに、電源が投入されたときに作動する検査プログラムを備え、該検査プログラムにより発信されるチェックコマンドに応じて該各検査用図柄データが読み出され前記電子ディスプレイにその検査用図柄が表示されるようにしたことを特徴とする。
【０００７】
また請求項２に記載の発明は、請求項１に記載のパチンコ遊技機において、検査用図柄データは複数のデータロム毎に予め定められた特定の検査用図柄を表示するものであり、検査プログラムによって該各データロムの検査用図柄が電子ディスプレイに順に表示されるようにしたことを特徴とする。
このため、電源投入時の電子ディスプレイの表示を見るだけで、全てのデータロムの良否を簡単に検査でき、めったに出ない画像が記憶されたデータロムの不良であっても簡単に検知される。
【０００８】
また請求項３に記載の発明は、遊技制御基板と、複数のデータロムに図柄データが記憶され前記遊技制御基板からの指令に基づいて電子ディスプレイに図柄を変動表示させる図柄制御基板を備えたパチンコ遊技機において、前記各データロムに夫々検査用図柄データを予め記憶させておくとともに、電源が投入されたときに作動する検査プログラムを備え、該検査プログラムにより発信されるチェックコマンドに応じて該各検査用図柄データが読み出されるとともに、読み出された検査用図柄データを各データロム毎に演算しその演算結果が前記電子ディスプレイに表示されるようにしたことを特徴とする。
【０００９】
また請求項４に記載の発明は、上記請求項３に記載のパチンコ遊技機において、演算結果を各データロム毎に予め記憶された適正値と比較し、その異同を各データロム毎に電子ディスプレイに表示することを特徴とする。
このため、データロムの良否の確認が一層容易になる。
【発明の効果】
【００１０】
遊技場に設置された後であっても、データロムが正常に作動するかどうかが簡単に分かり、営業開始前にパチンコ遊技機の良否を簡単に確認することができ、遊技中にトラブルが生じるのを防ぐことができる。
【実施例１】
【００１１】
次に本発明の実施例を説明する。図１は本発明に係るパチンコ遊技機のブロック図で、１は遊技制御基板、２は図柄制御基板、３はランプ制御基板、４は音声制御基板である。これらの制御基板はいずれもＣＰＵ，ＲＡＭ，ＲＯＭ，Ｉ／Ｏ，フラッシュＲＯＭ等からなり、遊技制御基板１から出力される制御信号に従って該図柄制御基板２，ランプ制御基板３，音声制御基板４が作動する。また、図２は本発明に係るパチンコ遊技機における遊技盤の正面の概略図で、５は図柄制御基板２によって表示制御されるカラー液晶表示装置等の電子ディスプレイである。６はソレノイドの作動により一対の羽根７が開閉動するように設けられたチューリップ型の始動口、８は該始動口に入賞した遊技球を検出し遊技制御基板１に出力する始動口スイッチ、９は該始動口の下方に設けられた大きな長方形状の大入賞口からなる可変入賞装置で、該可変入賞装置にはソレノイド１０の作動により開閉動する開閉扉１１が設けられている。また、１２は該可変入賞装置に入賞した遊技球を検知する大入賞口スイッチ、１３は普通入賞口、１４は該普通入賞口に入賞した遊技球を検知する普通入賞口スイッチである。ランプ制御基板３は、遊技制御基板１からの指令信号により装飾ＬＥＤ，ガラス枠ランプ，サイドランプ等を点滅させる。また、音声制御基板４はスピーカ，振動手段等を作動させるものである。
【００１２】
また、図柄制御基板２には、多彩な図柄データが記憶された複数のデータロム（ＲＯＭ１〜ＲＯＭ８）が設けられ、遊技制御基板１からの指令に従い該図柄データを読み出して電子ディスプレイ５にその図柄を変動表示させるものである。そして該各データロムには夫々検査用図柄データが予め記憶される。この検査用図柄データは、例えば各データロム毎に異なるキャラクターを表すもので、遊技制御基板１は電源が投入されたときに作動する検査プログラムに読み出される。
【００１３】
次に、上記請求項１および２に記載した発明について、図３に示したフローチャートにより説明する。このパチンコ遊技機の電源が投入されたときに作動する検査プログラムによりチェックコマンドが発信され、そのチェックコマンドに応じて図３のステップａにてＲＯＭ１のデータロムに記憶された検査用図柄データが読み込まれ電子ディスプレイ５にその検査用図柄が表示される。図４（ａ）はＲＯＭ１の検査用図柄（リスの図柄）を電子ディスプレイ５に表示した例を示す。そして、この表示が２秒間されたらステップｂからステップｃに移行し、またそのチェックコマンドに応じてＲＯＭ２のデータロムに記憶された検査用図柄データが読み込まれ、図４（ｂ）に示したようにＲＯＭ２の検査用図柄（サルの図柄）が２秒間表示される。そしてさらにＲＯＭ３のデータロムに記憶された検査用図柄データが読み込まれ、図４（ｃ）に示したようにＲＯＭ３の検査用図柄（ゾウの図柄）が２秒間表示され、以下、ＲＯＭ４〜ＲＯＭ８の順に検査用図柄データを読み込んでその検査用図柄が図４（ｄ）〜に示したように２秒間宛表示される。このように電源が投入される度に各データロムの検査用図柄が電子ディスプレイ５に表示されることから、このような表示を見るだけで各データロムが正常に作動するかどうかが分かり、遊技場に設置された後であっても、営業開始前にパチンコ遊技機の良否を簡単に確認することができ、遊技中にトラブルが生じるのを防ぐことができる。
【実施例２】
【００１４】
一方、上記請求項３および４に記載した発明では、電源投入時に作動する検査プログラムにより、図５のフローチャートに示したように、ステップａにてＲＯＭ１に記憶された検査用図柄データを読み込み、ステップｂにて演算によりその検査用図柄データの合計を求め、ステップｃにてその合計値と予め記憶されている合計値の適正値とを比較し、ステップｄにてその合計値と適正値とが同一かどうかを判別し、同一であればステップｅにて電子ディスプレイ５に図６（ａ）に示したように「ＯＫ」の文字とその合計値と適正値を表示するとともに該ＲＯＭ１の検査用図柄（リスの図柄）を表示する。次いでステップｆにてＲＯＭ番号を更新し、ステップａに戻ってＲＯＭ２に記憶された検査用図柄データを読み込み、ＲＯＭ２について同様の演算と適正値との比較、表示を行い、図６（ｂ）に示したような表示をする。さらに、ＲＯＭ３〜ＲＯＭ８についても同様の演算と適正値との比較、表示を行い、図６（ｃ）〜に示したような表示をする。そして、全部のデータロムが検査できたところでステップｈを経てこの検査プログラムが終了し、電子ディスプレイ５に通常の遊技画面が表示されて遊技可能となる。また、この検査過程において、各データロム毎に予め記憶された適正値と、実際に各データロムから読み込んだ検査用図柄データの合計値とが等しくなかった場合は、ステップｄよりステップｇに移行し、図７に例示したようなエラー表示をして停止する。このため、データロムの作動が異常であると自動的に停止し遊技を開始できなくする。
このようにこの実施例では、検査用図柄データの演算結果が適正値と比較され、その異同を電子ディスプレイに表示することにより、検査が一層容易になり、異常なパチンコ遊技機が実際の遊技に使用されるのが防がれる。
【００１５】
なおこのパチンコ遊技機では、遊技者が遊技盤上に発射した打球が始動口６に入賞し、該遊技球が始動口スイッチ８により検出されることにより始動条件が成立し、始動条件が成立すると電子ディスプレイ５に上記データロム（ＲＯＭ１〜ＲＯＭ８）から読み込まれたリス，サル等の図柄が変動表示されるとともにノーマルリーチ、ロングリーチ、スーパーリーチ、或いは、特定図柄リーチ等、様々なパターンの演出がなされ、所定の大当り図柄で変動停止すれば、遊技者に大当りであることが表示され、可変入賞装置９の開閉扉１１が連続的に開放され、多くの打球を入賞させることができて遊技者に大きな利益となるように構成されている。
【図面の簡単な説明】
【００１６】
【図１】本発明の実施例であるパチンコ遊技機のブロック図。
【図２】本発明の実施例であるパチンコ遊技機の遊技盤の正面図。
【図３】本発明の実施例であるパチンコ遊技機のフローチャート。
【図４】本発明の実施例であるパチンコ遊技機の電子ディスプレイの表示例図。
【図５】本発明の実施例であるパチンコ遊技機のフローチャート。
【図６】本発明の実施例であるパチンコ遊技機の電子ディスプレイの表示例図。
【図７】本発明の実施例であるパチンコ遊技機の電子ディスプレイの表示例図。
【符号の説明】
【００１７】
１                    遊技制御基板
２                    図柄制御基板
５                    電子ディスプレイ
６                    始動口
９                    可変入賞装置
ＲＯＭ１〜ＲＯＭ８    データロム
【図１】
2006014864.tif 000003
【図２】
2006014864.tif 000004
【図３】
2006014864.tif 000005
【図４】
2006014864.tif 000006
【図５】
2006014864.tif 000007
【図６】
2006014864.tif 000008
【図７】
2006014864.tif 000009